(57)【特許請求の範囲】
【請求項１】
バーナの加熱により給水を熱交換する給湯熱交換器の出湯路から分岐し給湯電磁弁を介して浴槽への湯張り動作を行なうと共に、循環する浴槽水をバーナで加熱された風呂熱交換器で熱交換して所定温度に沸き上げる追い焚き動作と、循環する浴槽水を浄化手段を通過させて汚れを除去する浄化動作とを備えた風呂給湯器であって、
浴槽水を循環させる戻り通路及び往き通路と、戻り通路に配した循環ポンプと、戻り通路より供給される浴槽水を加熱する風呂熱交換器と、風呂熱交換器の入口と出口をバイパスするバイパス通路と、風呂熱交換器側またはバイパス通路側に浴槽水循環経路を切り替えるバイパス三方弁と、バイパス三方弁で切り替えられた通路に接続された上部往き通路及び下部往き通路と、上部往き通路に接続され排水側との通路切替を行う排水三方弁および下部往き通路に接続され浴槽側との通路切替を行う正逆三方弁との間に接続されたアルミ電極を有するろ過槽とを備え、通常浄化運転モードは、バイパス三方弁を風呂熱交換器側に切り替え、循環ポンプの能力及びアルミ電極の通電電流を弱側の所定値に設定し、浴槽水がろ過槽を通過するようにし、急速浄化運転モードは、バイパス三方弁をバイパス通路側に切り替え、循環ポンプの能力及びアルミ電極の通電電流を強側の所定値に設定し、浴槽水がろ過槽を通過するようにした風呂給湯器。
【請求項２】
洗浄運転モードを有し、バイパス三方弁をバイパス通路側に切り替え、正逆三方弁を下部往き通路とろ過槽が接続される経路に切り替え、排水三方弁をろ過槽と排水管が接続される経路に切り替え、浴槽水がろ過槽内を逆流するようにした請求項１記載の風呂給湯器。
【請求項３】
高温殺菌運転モードを有し、給湯電磁弁の開動作により給湯熱交換器で加熱された高温水を戻り通路に供給し、バイパス三方弁をバイパス通路側に切り替え、正逆三方弁を下部往き通路とろ過槽が接続される経路に切り替え、排水三方弁をろ過槽と排水管が接続される経路に切り替え、給湯熱交換器からの高温水がろ過槽内を逆流するようにした請求項１記載の風呂給湯器。
【請求項４】
高温殺菌運転モードを有し、給湯電磁弁の開動作により給湯熱交換器で加熱された温水を戻り通路に供給し、バイパス三方弁を風呂熱交換器側に切り替え、正逆三方弁を下部往き通路とろ過槽が接続される経路に切り替え、排水三方弁をろ過槽と排水管が接続される経路に切り替え、風呂熱交換器で再加熱された高温水がろ過槽内を逆流するようにした請求項１記載の風呂給湯器。
【発明の詳細な説明】
【０００１】
【発明の属する技術分野】
本発明は、給湯，風呂の追焚きおよび浴槽水の浄化・殺菌のできる風呂給湯器に関するものである。
【０００２】
【従来の技術】
従来の風呂給湯器は図７に示すような構成になっていた。
【０００３】
水は水入口より水温センサ１、水量センサ２を通り、給湯熱交換器３で熱を吸収して、給湯センサ４、水量制御弁５を通り、湯出口より放出される。ガスはガス入口より給湯元電磁弁６、ガスの給湯比例弁７を通り、給湯バーナ８で燃焼される。
【０００４】
浴槽水は循環ポンプ３２により、風呂接続アダプタ１９、戻り通路１３、水位センサ１４、切替え三方弁１５、風呂センサ９、水流スイッチ１０、風呂熱交換器１１、往き通路１２、風呂接続アダプタ１９と循環し、風呂センサ９で検出する湯温が低下したときには、ガスがガスの風呂元電磁弁１６、風呂比例弁１７を通り、風呂バーナ１８で燃焼し、風呂熱交換器１１で熱を吸収して、浴槽水の追焚きを行う。
【０００５】
浴槽へのお湯はりは、給湯熱交換器３で熱を吸収したお湯が給湯センサ４、水量制御弁５を通り、給湯電磁弁２０、縁切弁２１、往き通路１２および風呂の戻り通路１３を通って、風呂接続アダプタ１９から浴槽に入る。
【０００６】
【発明が解決しようとする課題】
しかしながら、従来の風呂給湯器では、浴槽内で溜まる垢やお湯の汚れのために、複数の人が続けて入浴したり、浴槽の水を続けて使用することは大変不潔であり、これをきれいにするためには浴槽のお湯を交換し浴槽を清掃しなければならないため、大変不経済であり手間のかかる作業であるという課題を有していた。
【０００７】
【課題を解決するための手段】
本発明は、浴槽水を循環させる戻り通路及び往き通路と、戻り通路に配した循環ポンプと、戻り通路より供給される浴槽水を加熱する風呂熱交換器と、風呂熱交換器の入口と出口をバイパスするバイパス通路と、風呂熱交換器側またはバイパス通路側に浴槽水循環経路を切り替えるバイパス三方弁と、バイパス三方弁で切り替えられた通路に接続された上部往き通路及び下部往き通路と、上部往き通路に接続され排水側との通路切替を行う排水三方弁および下部往き通路に接続され浴槽側との通路切替を行う正逆三方弁との間に接続されたアルミ電極を有するろ過槽とを備え、通常浄化運転モードは、バイパス三方弁を風呂熱交換器側に切り替え、循環ポンプの能力及びアルミ電極の通電電流を弱側の所定値に設定し、浴槽水がろ過槽を通過するようにし、急速浄化運転モードは、バイパス三方弁をバイパス通路側に切り替え、循環ポンプの能力及びアルミ電極の通電電流を強側の所定値に設定し、浴槽水がろ過槽を通過するようにしたものである。
【０００８】
上記発明によれば、浴槽内で溜まる垢やお湯の汚れをろ過槽内のアルミ電極に通電することにより循環水の異物を凝集し、凝集した異物をろ過槽内のろ過材で除去することにより、浴槽水を常にきれいにできるため、複数の人が続けて入浴したり、浴槽の水を続けて使用しても、清潔さを保つことができる。
【０００９】
【発明の実施の形態】
本発明は、バーナの加熱により給水を熱交換する給湯熱交換器の出湯路から分岐し給湯電磁弁を介して浴槽への湯張り動作を行なうと共に、循環する浴槽水をバーナで加熱された風呂熱交換器で熱交換して所定温度に沸き上げる追い焚き動作と、循環する浴槽水を浄化手段を通過させて汚れを除去する浄化動作とを備えた風呂給湯器であって、浴槽水を循環させる戻り通路及び往き通路と、戻り通路に配した循環ポンプと、戻り通路より供給される浴槽水を加熱する風呂熱交換器と、風呂熱交換器の入口と出口をバイパスするバイパス通路と、風呂熱交換器側またはバイパス通路側に浴槽水循環経路を切り替えるバイパス三方弁と、バイパス三方弁で切り替えられた通路に接続された上部往き通路及び下部往き通路と、上部往き通路に接続され排水側との通路切替を行う排水三方弁および下部往き通路に接続され浴槽側との通路切替を行う正逆三方弁との間に接続されたアルミ電極を有するろ過槽とを備え、通常浄化運転モードは、バイパス三方弁を風呂熱交換器側に切り替え、循環ポンプの能力及びアルミ電極の通電電流を弱側の所定値に設定し、浴槽水がろ過槽を通過するようにし、急速浄化運転モードは、バイパス三方弁をバイパス通路側に切り替え、循環ポンプの能力及びアルミ電極の通電電流を強側の所定値に設定し、浴槽水がろ過槽を通過するようにしたものである。そして、浴槽内で溜まる垢やお湯の汚れをろ過槽内のアルミ電極に通電することにより凝集し、凝集した異物をろ過槽内のろ過材で除去することにより、浴槽水を常にきれいにできるため、複数の人が続けて入浴したり、浴槽の水を続けて使用しても、清潔さを保つことができる。また、浴槽の循環水を風呂熱交換器を通さずに大量の循環水を流し、ろ過槽内のアルミ電極に通常よりも大きな電流を通電することにより浴槽内で溜まる垢やお湯の汚れを急速に凝集し、ろ過材で急速に除去することにより、浴槽水を急速にきれいにできるため、複数の人が続けて入浴しても、清潔さを保つことができる。
【００１１】
また、洗浄運転モードを有し、バイパス三方弁をバイパス通路側に切り替え、正逆三方弁を下部往き通路とろ過槽が接続される経路に切り替え、排水三方弁をろ過槽と排水管が接続される経路に切り替え、浴槽水がろ過槽内を逆流するようにしたものである。そして、ろ過槽内で溜まる垢やお湯の汚れを凝集した異物を機器の外へ排出することにより、ろ過槽を清潔に保つことができる。
【００１２】
また、高温殺菌運転モードを有し、給湯電磁弁の開動作により給湯熱交換器で加熱された高温水を戻り通路に供給し、バイパス三方弁をバイパス通路側に切り替え、正逆三方弁を下部往き通路とろ過槽が接続される経路に切り替え、排水三方弁をろ過槽と排水管が接続される経路に切り替え、給湯熱交換器からの高温水がろ過槽内を逆流するようにしたものである。そして、ろ過槽内のばい菌を給湯熱交換器からの高温水で殺菌して死滅させるとともに、殺菌した菌を機器の外へ排出することにより、ろ過槽を清潔に保ちながら、浴槽水の水位と湯温を一定にして入浴ができる。
【００１３】
さらにまた、高温殺菌運転モードを有し、給湯電磁弁の開動作により給湯熱交換器で加熱された温水を戻り通路に供給し、バイパス三方弁を風呂熱交換器側に切り替え、正逆三方弁を下部往き通路とろ過槽が接続される経路に切り替え、排水三方弁をろ過槽と排水管が接続される経路に切り替え、風呂熱交換器で再加熱された高温水がろ過槽内を逆流するようにしたものである。そして、給湯温度は高温水ではなく温水として給湯の安全を確保し、ろ過槽内のばい菌を高温で殺菌して死滅させるとともに、殺菌した菌を機器の外へ排出することにより、ろ過槽を清潔に保つことができる。
【００１４】
（実施例１）
以下、本発明の実施例１における風呂給湯器について図面を用いて説明する。なお、従来と同一構成要素のものについては同一番号を付し説明する。
【００１５】
図１において、水は水入口より水温センサ１、水量センサ２を通り、給湯熱交換器３で熱を吸収して、給湯センサ４、水量制御弁５を通り、湯出口より放出される。ガスはガス入口より給湯元電磁弁６、ガスの給湯比例弁７を通り、給湯バーナ８で燃焼される。
【００１６】
浴槽水は循環ポンプ３２により、風呂接続アダプタ１９、戻り通路１３、水位センサ１４、切替え三方弁１５、風呂センサ９、水流スイッチ１０、バイパス三方弁２２、風呂熱交換器１１、上部往き通路２３、排水三方弁２４、ろ過材２５とアルミ電極２６を備えたろ過槽２７、正逆三方弁２９、往き通路１２、風呂接続アダプタ１９と循環する。浴槽水の風呂センサ９で検出する湯温が低下したときには、ガスがガスの風呂元電磁弁１６、風呂比例弁１７を通り、風呂バーナ１８で燃焼し、風呂熱交換器１１で熱を吸収して、浴槽水の追焚きを行う。
【００１７】
浴槽へのお湯はりは、給湯熱交換器３で熱を吸収したお湯が給湯センサ４、水量制御弁５を通り、給湯電磁弁２０、縁切弁２１、往き通路１２および風呂の戻り通路１３を通って、風呂接続アダプタ１９から浴槽に入る。
【００１８】
（実施例２）
本発明の実施例２の風呂給湯器の浄化手段を図２に基づいて説明する。図２において循環ポンプ３２を「弱運転」とし、循環がろ過槽２７を通過するときに、ろ過槽内のアルミ電極２６に約２０ｍＡ通電することによりアルミ電極をプラス極として通電したとき、アルミ電極が水酸化アルミニウムとしてプラスに帯電して溶出し、マイナスに帯電する垢等と電気化学的に結合し、ろ過材を自由に通過していた微小な垢等を大きな塊に凝集するのでろ過材で通過不能にして補集できるため浴槽内で溜まる垢やお湯の汚れを凝集し、凝集した異物をろ過槽内のろ過材２５で除去することができ、運転スイッチがＯＦＦされない限り浴槽の浄化運転は継続されるので、浴槽水を常にきれいにでき、複数の人が続けて入浴したり、浴槽の水を続けて使用しても、清潔さを保つことができる。
【００１９】
（実施例３）
本発明の実施例３の風呂給湯器の急速浄化手段を図３に基づいて説明する。図３において、循環ポンプ３２を「強運転」とし、浴槽の循環水を戻り通路１３、バイパス三方弁２２、バイパス通路３１、上部往き通路２３、排水三方弁２４、ろ過槽２７、正逆三方弁２９、往き通路１２へ通過させ、浴槽の循環水を風呂熱交換器１１を通さずに大量の循環水を流し、ろ過槽内のアルミ電極２６に通常よりも大きな約３００ｍＡの電流を通電する急速浄化手段により、浴槽内で溜まる垢やお湯の汚れを急速に凝集し、ろ過材で急速に除去することにより、浴槽水を急速にきれいにできるため、複数の人が続けて入浴しても、清潔さを保つことができる。
【００２０】
（実施例４）
本発明の実施例４の風呂給湯器の逆洗浄手段を図４に基づいて説明する。図４において、循環ポンプ３２を「中運転」とし、浴槽の循環水を下部往き通路２８から正逆三方弁２９、ろ過槽２７、排水三方弁２４、排水口３０へ流し、浄化手段により凝集した異物を排水口から排出し、ろ過槽内で溜まる垢やお湯の汚れを凝集した異物を機器の外へ排出することにより、ろ過槽を清潔に保つことができる。
【００２１】
（実施例５）
本発明の実施例５の風呂給湯器の高温殺菌手段を図５に基づいて説明する。図５において、水温センサ１と水量センサ２と給湯センサ４と水量制御弁５の制御により、給湯熱交換器３で加熱した約７５℃、６ｌ／ｍｉｎの高温水を給湯電磁弁２０および縁切弁２１からバイパス三方弁２２、風呂熱交換器１１、下部往き通路２８、正逆三方弁２９、ろ過槽２７、排水三方弁２４、排水口３０へ約５分間流し、ろ過槽内の高温殺菌を行うことにより、ろ過槽内のばい菌を高温で殺菌して死滅させるとともに、殺菌した菌を機器の外へ排出することにより、ろ過槽を清潔に保つことができる。
【００２２】
（実施例６）
本発明の実施例６の風呂給湯器の他の高温殺菌手段を図６に基づいて説明する。図６において、水温センサ１と水量センサ２と給湯センサ４と水量制御弁５の制御により、給湯熱交換器３で加熱した約４２℃、６ｌ／ｍｉｎの温水を給湯電磁弁２０および縁切弁２１からバイパス三方弁２２、風呂熱交換器１１へ流し、風呂熱交換器１１でさらに加熱して約７０〜７５℃の高温水とし、下部往き通路２８、正逆三方弁２９、ろ過槽２７、排水三方弁２４、排水口３０へ流し、ろ過槽内の高温殺菌を行うことにより、ろ過槽内のばい菌を高温で殺菌して死滅させるとともに、殺菌した菌を機器の外へ排出することにより、ろ過槽を清潔に保つことができ、給湯温度は高温水ではなく約４２℃の温水として殺菌運転中の給湯の安全を確保することができる。
【００２３】
【発明の効果】
以上のように、本発明の風呂給湯器は、浴槽内で溜まる垢やお湯の汚れをろ過槽内のアルミ電極に通電することにより循環水の異物を凝集し、凝集した異物をろ過槽内のろ過材で除去することにより浴槽水を常にきれいにできるため、複数の人が続けて入浴したり、浴槽の水を続けて使用しても、清潔さを保つことができる。
【００２４】
また、急速浄化手段により、浴槽内で溜まる垢やお湯の汚れを急速に凝集し、ろ過材で急速に除去することにより、浴槽水を急速にきれいにでき、逆洗浄手段により、ろ過槽内で溜まる垢やお湯の汚れを凝集した異物を機器の外へ排出することにより、清潔さを保つことができる。そして、高温殺菌手段により、浴槽水の循環水路系へ給湯機から高温水を供給し、浴槽水の水位と湯温を一定に維持できるから、入浴をしながらろ過槽内のばい菌を高温で殺菌して死滅させるとともに、殺菌した菌を機器の外へ排出することにより、清潔さを保つことができる。
【図面の簡単な説明】
【図１】本発明の実施例１の風呂給湯器の構成図
【図２】（ａ）本発明の実施例２の風呂給湯器の構成図
（ｂ）同給湯器の運転モードを示すフローチャート
【図３】（ａ）本発明の実施例３の風呂給湯器の構成図
（ｂ）同給湯器の運転モードを示すフローチャート
【図４】（ａ）本発明の実施例４の風呂給湯器の構成図
（ｂ）同給湯器の運転モードを示すフローチャート
【図５】（ａ）本発明の実施例５の風呂給湯器の構成図
（ｂ）同給湯器の運転モードを示すフローチャート
【図６】（ａ）本発明の実施例６の風呂給湯器の構成図
（ｂ）同給湯器の運転モードを示すフローチャート
【図７】従来の風呂給湯器の構成図
【符号の説明】
１  水温センサ
２  水量センサ
３  給湯熱交換器
４  給湯センサ
５  水量制御弁
８  給湯バーナ
９  風呂センサ
１１  風呂熱交換器
１２  往き通路
１３  戻り通路
１４  水位センサ
１５  切替え三方弁
１８  風呂バーナ
２０  給湯電磁弁
２１  縁切弁
２２  バイパス三方弁
２３  上部往き通路
２４  排水三方弁
２５  ろ過材
２６  アルミ電極
２７  ろ過槽
２８  下部往き通路
２９  正逆三方弁
３０  排水口
【図１】
0003903501.tif 000002
【図２】
0003903501.tif 000003
【図３】
0003903501.tif 000004
【図４】
0003903501.tif 000005
【図５】
0003903501.tif 000006
【図６】
0003903501.tif 000007
【図７】
0003903501.tif 000008